(57)【要約】  【課題】点滴用のリクライニング式椅子において、長時間の点滴であっても退屈せず、しかも、容体急変時のベッドの移し替も容易ならしめる。【手段】椅子は、座１と背もたれ２とレッグレスト４とフットレスト３とを有すしている。背もたれ２及びレッグレスト４は水平状に姿勢まで回動し、かつ、フットレスト３はレッグレスト４の下端に連結されていて、レッグレスト４の跳ね上げ回動によって座１と同じ高さまで上昇する。座１の左右両側にはサイドガード５が着脱自在に配置されている。サイドガード５には幅広のアームレスト１３が高さ調節自在に取り付けられており、患者は身体を起こし、例えばテレビを視ながらアームレスト１３に腕を載せて点滴を受けることができる。容体急変時のベッドの移し替は、サイドガード５を取り外すことで容易に行える。【選択図】図３
2010227388.tif 000002
【特許請求の範囲】
【請求項１】
前輪及び後輪が取り付けられた本体と、前記本体で支持された座と背もたれとレッグレストとフットレストとを備えており、前記背もたれ及びレッグレストを回動自在で前記フットレストを昇降自在と成すことにより、人を寝かせた姿勢で搬送できるようになっている椅子であって、
前記座の左右外側に、当該座の上方にはみ出る状態に配置されるサイドガードを着脱自在に配置しており、かつ、前記サイドガードには、着座した人が腕を載せて点滴し得る横幅のアームレストが高さ調節可能に取り付けられている、
椅子。
【請求項２】
前記サイドガードは、人が持ち上げるだけで取り外しできる状態で前記本体又は座に取り付けられている一方、前記アームレストは、人の腕が当たる上面部と前記サイドガードの側面に重なる側板部とを有していて正面視コの字状又は逆Ｌ字状の形態になっている、
請求項１に記載した椅子。
【請求項３】
前記背もたれの左右側部の全体又は大部分は座の左右外側に突出した張り出し部になっており、前記張り出し部の側面は前記サイドガードの左右外側面と略同じ位置に位置している一方、前記前輪と後輪は、前記背もたれにおける張り出し部の側面よりも左右内側に配置されている、
請求項１又は２に記載した椅子。
【発明の詳細な説明】
【技術分野】
【０００１】
本願発明は、点滴や透析のような病気治療に使用するのに好適な（すなわち医療用として好適な）椅子に関するものである。
【背景技術】
【０００２】
点滴・透析に使用する医療用椅子の一例として特許文献１がある。この特許文献１の椅子は、座と背もたれとフットレスト（足載せ台）とレッグレスト（すね当て体）、及び、これらを支持するフレーム構造の本体部とを有している。本体部には前輪と後輪とが取り付けられている。
【０００３】
背もたれは起倒自在となるようにその下端部が座の後端部に連結されており、レッグレストは座と略同じ高さで水平状の姿勢となるようにその上端部が座の前端部に回動自在に連結されており、更に、フットレストはレッグレストの回動によって高さが変わるようにその後端部がレッグレストの下端部に連結されている。背もたれは第１をアクチェータで回動され、レッグレストは第２のアクチェータで回動される。
【０００４】
レッグレストの下端には下向きに延びる第２係合板が固定されており、レッグレストを起こし回動すると第２係合板がフットレストに下方から当たり、これによってフットレストは下方から上昇位置に高さが変わる。
【０００５】
点滴は種々の目的で行われており、患者に対する危険性の程度も様々である。栄養補給を目的とした点滴は危険性が低いと言えるが、例えばガン治療の一つとして実施されている高濃度ビタミンＣ点滴療法のように治療として行われる場合は、点滴中に患者の容体が急変することがあって危険性が高いことが多い。
【０００６】
他方、点滴自体は危険な行為ではないため一般に医師や看護士が始終付き添うことはなく、患者は点滴室やロビーのような非治療室においてリラックスした状態で点滴を受けている。そこで、点滴中に患者の容体が急変した場合は、患者を治療室に急送せねばならない。この点、特許文献１の椅子は前後のキャスタが付いているため、背もたれを倒すと共にレッグレストを起こしてストレッチャー化することで患者を治療室に急送することができる利点がある。
【０００７】
さて、治療室に搬送された患者は椅子からベッドに移し替られることになるが、特許文献１では座の左右外側にサイドカバーが固定的に配置されているため、患者をベッドに移し替るに際してサイドカバーが邪魔になる。また、特許文献１ではアームレストを後ろに跳ね上げ回動させ得るが、アームレストははね上げた状態で座や寝かせた状態の背もたれの上方に立ち上がっているため、このアームレストも患者の移し替の障害になる。結局、特許文献１では患者を椅子からベッドに移し替る（横移動させる）ことの容易性は考慮されていないと言える。
【０００８】
他方、特許文献２は車椅子に関するものであるが、この特許文献２には、座の左右外側に配置したスカートガード（サイドカバー）を着脱式とすることで乗り降りの容易性を図ること、及び、アームレストをスカートガードに高さ調節自在に取り付けることが開示されている。この特許文献２のスカートガードを特許文献に適用すると、ベッドへの患者の移し替が容易になると言える。
【先行技術文献】
【特許文献】
【０００９】
【特許文献１】実公平３−３４１７９号公報
【特許文献１】特開２００１−２５２３１０号公報
【発明の概要】
【発明が解決しようとする課題】
【００１０】
特許文献１の椅子は点滴・透析用のものであるが、患者はリクライニング状態で点滴や透析を受けると記載されており、従って、患者は腕を背もたれに載せ、その状態で腕に点滴を受けることになる。このような点滴方法も一つの態様として有り得るが、点滴を受けながらテレビを視たり読書をしたりと言った要望も高く、この場合は、身体を起こしておらねばならず、すると、腕（一の腕）はアームレストに載せることになる。特に、ガン治療として行われ点滴は長時間に及ぶことが多いため（１０時間を超える場合もある）、患者が退屈しないように配慮する必要が高いと言えるのであり、このため、アームレストに腕を載せて点滴を受けることの必要性が高いと言える。
【００１１】
しかし、特許文献１は患者がアームレストに腕を載せて点滴を受けることは想定しておらず、このため、患者の様々な要望に的確に応え得るとは言い難い。従って、患者に対するユーザーフレンドリー性に欠ける問題があったと言える。なお、特許文献２は車椅子に関するものであるから、当然ながら点滴や透析に関する課題を示唆することはない。
【００１２】
本願発明はこのような現状に鑑み成されたものであり、点滴治療に好適なリクライニング方式椅子を改善された形態で提供せんとするものである。
【課題を解決するための手段】
【００１３】
本願発明は幾つかの構成を含んでいる。第１の発明（請求項１の発明）は上位概念を成すものであり、この発明は、前輪及び後輪が取り付けられた本体と、前記本体で支持された座と背もたれとレッグレストとフットレストとを備えており、前記背もたれ及びレッグレストを回動自在で前記フットレストを昇降自在と成すことにより、人を寝かせた姿勢で搬送できるようになっている椅子において、前記座の左右外側に、当該座の上方にはみ出る状態に配置されるサイドガードを着脱自在に配置しており、かつ、前記サイドガードには、着座した人が腕を載せて点滴し得る横幅のアームレストが高さ調節可能に取り付けられている。
【００１４】
第２の発明（請求項２）は第１の発明を具体化したものであり、この発明では、前記サイドガードは、人が持ち上げるだけで取り外しできる状態で前記本体又は座に取り付けられている一方、前記アームレストは、人の腕が当たる上面部と前記サイドガードの側面に重なる側板部とを有していて正面視コの字状又は逆Ｌ字状の形態になっている。
【００１５】
第３の発明（請求項３の発明）は第１又は第２の発明を具体化したもので、この発明では、前記背もたれの左右側部の全体又は大部分は座の左右外側に突出した張り出し部になっており、前記張り出し部の側面は前記サイドガードの左右外側面と略同じ位置に位置している一方、前記前輪と後輪は、前記背もたれにおける張り出し部の側面よりも左右内側に配置されている。
【発明の効果】
【００１６】
本願の各発明では、着座した人はアームレストに腕（一の腕）を載せて点滴や透析を受けることができるため、点滴や透析を受けている間、人（患者）は背もたれを好みの角度に保持して身体を起こしておくことができる。従って、人（患者）はテレビをを視たり読書をしたりといったことを行いつつ点滴や透析を受けることができ、このため、高濃度ビタミンＣ点滴療法のように治療が長時間に及ぶことがある場合であっても、退屈することがなくて（或いは少なくて）ユーザーフレンドリー性が高い。また、アームレストは高さ調節できるため、腕を体格や姿勢に応じた適切な高さに保持して、楽な状態で点滴や透析を受けることができる。
【００１７】
また、人（患者）の身体はサイドガードによって左右ずれ落ち不能に保持されいるため、容体が急変した患者を寝かせた状態にして治療室に移動させるにおいて、例えば方向変換するにおいて遠心力で身体が椅子からずれ落ちるようなことはなく、患者を安全な状態で搬送できる。また、サイドガードは着脱自在であるため、患者の治療室でベッドに移し替るにおいては、サイドガードを取り外すことで患者の身体をベッドに簡単に横移動させることができる。
【００１８】
アームレストは、例えば板状に形成して、その左右中間部から足が延びている形態となすことも可能であるが、第２の発明のように正面視でコの字状又は逆Ｌ字状に形成すると、側板部がサイドガードの側面に当たることで安定性を向上できる利点がある。特に、コの字状に形成すると、左右の側板部でサイドガードが挟まれるため安定性が一層優れている。
【００１９】
さて、容体が急変した患者を寝かせた状態にして治療室に搬送してからベッドに移し替る場合、患者の安全を図るため椅子をベッドにできるだけ寄せて（好ましくは密着させて）、それからサイドガードを取り外し、次いで、何人かで患者の胴体や頭や足を直接に持ち上げたりシーツを介して持ち上げたりして横移動させることになる。
【００２０】
この場合、仮に特許文献１に着脱式のサイドガードを適用すると、サイドガードがベッドに近接する状態に椅子を寄せ、それからサイドガードを取り外して患者をベッドに横移動させることになるが、特許文献１では背もたれの横幅は座の横幅の同じであるため、サイドガードをベッドに近接させた状態で背もたれとベッドとの間にはサイドガードの厚さ寸法と同じ程度の間隔が空いており、このため、背もたれとベッドとの間に間隔を開けた状態のままで患者を横移動させねばならず、すると、患者の安定性が低くなる虞がある。
【００２１】
これに対して本願の第３の発明を採用すると、サイドガードをベッドに近接又は密着させると背もたれの張り出し部もベッドに近接又は密着するため、サイドガードを取り外した後においても背もたれはその前部又は大部分をベッドに近接又は密着させておくことができるのであり、その結果、患者を安全な状態でベッドに移し替ることができる。更に補足すると、身体を横移動させる場合に最も重要なのは患者の胴体と頭とを安定させておくことであり、胴体が安定していると脚は軽い力で移動させ得るのであるが、背もたれを水平状に倒すと胴体の大部分と頭は背もたれで支持されるため、背もたれをベッドに近接又は密着させることにより、患者を安全に横移動させることができるのである。
【００２２】
また、前輪と後輪は背もたれにおける張り出し部の左右内側に位置しているため、車輪がベッドの足に当たって背もたれをベッドに近接又は密着させることができないといった不具合も生じない。
【図面の簡単な説明】
【００２３】
【図１】実施形態の椅子を前から見た斜視図である。
【図２】（Ａ）は実施形態の椅子を後ろから見た斜視図、（Ｂ）はベッドに寄せた状態での部分的な平面図である。
【図３】実施形態の椅子をベッド状に伸ばした状態での分離斜視図である。
【図４】本体の斜視図である。
【図５】側断面図である。
【図６】ベッド状に伸ばした状態での側断面図であり、（Ａ）は前部を除いた部分の図、（Ｂ）は前部の図である。
【図７】（Ａ）は概略分離平面図、（Ｂ）は（Ａ）のＢ−Ｂ視断面図、（Ｃ）は（Ａ）のＣ−Ｃ視断面図、（Ｄ）は（Ｃ）と同じ箇所の別例図、（Ｅ）は（Ａ）のＥ−Ｅ視断面図である。
【図８】（Ａ）は本体と背もたれとの関係を示す概略分離平面図、（Ｂ）は（Ａ）のＢ−Ｂ視断面図である。
【図９】サイドパネルを分離した状態での一部破断側面図である。
【図１０】（Ａ）は図９の XA-XA視断面図、（Ｂ）は（Ａ）のＢ−Ｂ視断面図である。
【図１１】（Ａ）は肘当ての高さ調節機構を示し縦断正面図、（Ｂ）は（Ａ）のＢ−Ｂ視図、（Ｃ）は（Ａ）のＣ−Ｃ視断面図である。
【発明を実施するための形態】
【００２４】
次に、本願発明の実施形態を図面に基づいて説明する。本実施形態は病院で点滴療法を施療するのに好適な医療用椅子に適用している。
【００２５】
(1).椅子の概略
例えば図１〜図３に示すように、椅子は、人が腰掛ける座１、着座した人がもたれ掛かる背もたれ２、着座した人が足を載せるフットレスト３、着座した人のふくらはぎが当たり得るレッグレスト４、座１の左右両側に配置されたサイドガード５、左右の前輪（前キャスタ）６と左右の後輪（後キャスタ）７とを備えている。サイドガード５は、はサイドサポート又はサイドパネル５と呼ぶことも可能である。前輪６と後輪７とのうちいずれか一方又は両方にはロック機構を備えている。サイドガード５の下には、当該サイドガード５が載る（又は密接する）ベースパネル８を配置している。ベースパネル８は左右に一連に広がる形態になっている。
【００２６】
詳しい機構は後述するが、図３に示すように、背もたれ２は略水平姿勢まで寝かせることができる一方、レッグレスト４はその上端部を中心にして跳ね上げ回動させることで水平状の姿勢まで起こすことができ、かつ、フットレスト３は着座した人が足を載せる下降位置から座１と略同じ高さの上昇位置まで昇降させることができる。
【００２７】
背もたれ２の上部前面にはヘッドレスト（枕）９を配置している。ヘッドレスト９はシート１０に固定されており、シート１０と背もたれ２とには係脱自在な面ファスナー（図示せず）を設けている。このため、ヘッドレスト９は背もたれ２に対して着脱自在である。背もたれ２の上端面には左右横長のトップ把手１１を固定しており、また、背もたれ２の背面のうち上端寄りの箇所には左右横長のバック把手１２を固定している。
【００２８】
椅子はかなりの重量があるが、図１，２のように背もたれ２を起こした姿勢ではバック把手１２に手を掛けることで簡単に引き移動させることができ、また、図３のように背もたれ２を寝かせて寝台車状（或いはストレッチャー状）と成した状態ではトップ把手１１に手を掛けることで容易に引き移動させることができる。なお、把手１１，１２は例えばＴ型等の他の形態を採用することも可能であり、また、左右２個ずつ配置することも可能である。
【００２９】
サイドガード５の上端は座１よりも高い高さになっており、このため着座した人が座１の左右外側にずり落ちることを防止できる。また、サイドガード５には、着座した人が一の腕を安定した状態で載せ得るアームレスト（肘当て）１３を取り付けている。アームレスト１３は、着座した人の腕が載る上面部１３ａとサイドパネル５の内側面に重なる内側板部１３ｂとサイドパネル５の外側面に重なる外側板部１３ｃとを有しており、このため正面視で下向き開口コの字状の形態になっており、サイドガード５に上から被さる状態で嵌まっている。
【００３０】
図３に示すように、左右のサイドガード５は取り外すことができる。このため、患者をベッドＢに移し替ることが容易に行える。アームレスト１３は、サイドガード５に対して段階的又は無段階的に高さ調節できるように取り付けられている。
【００３１】
背もたれ２の左右側部は、その下部を除いて座１の左右外側に突出した張り出し部２ａになっており、左右張り出し部２ａの箇所の左右横幅は左右サイドガード５の外面間の間隔と略同じ寸法に設定している。背もたれ２の下端部は張り出し部２ａが存在せず、座１と略同じ左右横幅に設定されている。背もたれ２の全高にわたって張り出し部２ａを形成していないのは、サイドガード５が座１の後ろまで延びていることから（図５参照）、サイドパネル５との緩衝を回避するためである。サイドガード５が座１の後ろに延びていない場合は、背もたれ２の左右側部はその全高にわたって張り出し部２ａと成し得る。
【００３２】
図２に示すように、背もたれ２の背面のうち下部には後ろ向きに突出したバックカバー１４を取り付けている（その意義は後述する。）。椅子は、付属品として輸液バッグの吊り下げ用支柱１５を備えている。
【００３３】
(2).本体の構造
椅子は、基幹要素として図４に明瞭に示す本体１７を備えている（本体は、本体部又は木枠部と呼ぶことも可能である。）。次に、この本体１７を主として図４に基づいて説明する。本体１７は、その下部を構成する前後長手の左右下部サイドフレーム１８、下部サイドフレーム１８の前端に溶接で固着された側面視Ｌ形の前フレーム１９、左右下部サイドフレーム１８をその前部において連結する前部下ステー２０、左右下部サイドフレーム１８を前後中間位置よりも僅かに手前の部位で連結する後部下ステー２１を有している。
【００３４】
左右下部サイドフレーム１８の内側部には後部下ステー２１の後ろに近接した状態でリア支柱２２が固着されており、リア支柱２２の上端とフロントフレーム１９の上端とは前後長手の上部上部サイドフレーム２３で連結されており、更に、左右の上部上部サイドフレーム２３の前部は金属板より成る左右横長の前部支持体２４で連結され、左右の上部上部サイドフレーム２３の後部は左右横長の後部支持体２５で連結されている。敢えて述べるまでもないが、本体部は板金製とするなど様々の構造を採用できる。
【００３５】
下部サイドフレーム１８の略前半部と上部サイドフレーム２３、各ステー２０，２１フロントフレーム１９の後部起立部、リア支柱２２、前後の支持板２４，２５の各部材によって略直方体状のフレーム構造体を成しており、このフレーム構造体で請求項に記載した基部２６が構成されている。フロントフレーム１９は下部サイドフレーム１８よりも下方において手前に向けて延びる前向き部１９ａを有しており、この前向き部１９ａの前部に前輪６を水平旋回自在に取り付けている。
【００３６】
他方、下部サイドフレーム１８は基部２６（或いはリア支柱２２）よりも後ろに大きく延びる後ろ向き部１８ａを有しており、この後ろ向き部１８ａの後端に下向きの足部１８ｂを曲げ形成し、足部１８ｂの下端に後端７を水平旋回自在に取り付けている。
【００３７】
例えば図１〜３や図５に示すように、本体１７を構成するフロントフレーム１８の前向き部１９ａは座１及びレッグレスト４の前端よりも手前に張り出しており、このため前輪６も座１の手前に位置している。また、後輪７は座１の後ろに大きく張り出した後ろ向き部１８ａに取り付けており、このため前輪６と後輪７との間隔を大きくとることができ、その結果、椅子の安定性を高くして移動走行も安全に行える。
【００３８】
下部サイドフレーム１８における後ろ向き部１８ａの内側部には、輸液バッグ用支柱１５を支持する底付きで上下長手の支持筒２７が固着されている。支持筒２７は背もたれ２の左右外面よりも左右内側に位置しているが、輸液バッグ用支柱１５は背もたれ２の左右外側に配置しているのが好ましい。そこで、図２に示すように輸液バッグ用支柱１５の下部はクランク状に折り曲げている。
【００３９】
左右の上部サイドフレーム２３には、サイドガード５の支持部材として、左右外側に張り出すサイドサポート２８を固着しており、このサイドサポート２８の前後両端に上下開口のサイド支持筒２９を固着している（サイドガード５の取り付け構造は後述する。）。本体１７を構成する部材は鋼材からなっており、下部サイドフレーム１８とフロントフレーム１９とは丸パイプを使用し、前後ステー２０，２１とリア支柱２２と上部サイドフレーム２３とは角パイプを使用している。もちろん、他の形態の材料を使用することも可能である。
【００４０】
(3).座等の構造及びリクライニング機構
次に、図５〜８を中心にして座１等の構造とリクライニング機構とを説明する。例えば図５に示すように、座１と背もたれ２とレッグレスト４とフットレスト３とは合板等の基板３０，３１，３２，３３にクッション材３４を張った構造になっている（敢えて述べるまでもないが、クッション材３４はレザーやクロス等の表皮材で覆われている。）。座１の基板３０は、本体１７における基部２６の上面にビス等で固定されている。
【００４１】
本体１７を構成する後部支持体２５の後端部は上向きに起立しており、この起立部の左右両端部には左右開口の第１軸受け筒３６が固着されている一方、図５や図８に明示するように、背もたれ２における基板３１の下端部裏面には金属板製の第１支持体３７が固定されており、第１支持板３７の下端を背もたれ２の下端面に重なるように折り曲げ、その折り曲げ部の左右両端部に第１軸受け筒３６と直線状に並ぶ第２軸受け筒３８を溶接等で固定し、第１軸受け筒３６と第２軸受け筒３８とに第１支軸３９を挿通している。従って、背もたれ２は第１支軸３９を中心にして前後に自在に回動し得る。
【００４２】
そして、図５や図６に示すように、本体１７を構成するフロントステー２０に第１ブラケット４０を固着している一方、背もたれ２における基板３１の下部には後ろ向きに大きく張り出した第２ブラケット４１をビス等で固定し、第１ブラケット４０と第２ブラケット４１とに、アクチェータの一例としての第１電動シリンダ４２がピンで相対回動自在に連結されている。第１電動シリンダ４２はモータ４３を備えており、モータ４３を正逆回転させるとロッド４２ａが前後動し、その結果、背もたれ２を起立姿勢から水平状に寝た姿勢まで任意の角度に傾動（回動）させることができる。
【００４３】
背もたれ２に固定した第２ブラケット４１はバックカバー１４で覆われている。このため安全性が確保されている。図５，６に示すように、ベースパネル８は板材で中空状に形成されている。椅子は背もたれ２を起こした状態で移動させることもあるが、この場合、ベースパネル８の後端に足を当てて押すことも可能である。
【００４４】
(4).レッグレスト及びフットレスト駆動機構
本体１７を構成する前部支持体２４の前半部は斜め上向きの傾斜部２４ａになっており、傾斜部２４ａの左右両端部に、左右に開口した第３軸受け筒４４が溶接等で固着されて（或いは曲げ形成されて）いる一方、レッグレスト４における基板３２の上端部には支持金属板製の第２支持体４５がビス止め等で固定されており、第２支持体４５に前部支持体２４の傾斜部に下方から重なる傾斜部４５ａを曲げ形成し、傾斜部４５ａの左右両端部に、第３軸受け筒４４と一直線に並ぶ第４軸受け筒４６を溶接等で固着し、第３軸受け筒４４と第４軸受け筒４６とに第２支軸４７を挿通している。従って、レッグレスト４は第２支軸４７を中心にして回動し得る。
【００４５】
図５に明示するように、前部支持体２４の傾斜部２４ａと第２支持体４５の傾斜部４５ａとは側面視で水平に対して略４５度程度の角度になっている。また、座１及びレッグレスト４とも、支持体２４，４５における傾斜部２４ａ，４５ａの先端よりも先の部分はクッション３４のみからなっている。このため、レッグレスト４はクッション３４を圧縮変形させることで図６のように水平状の姿勢に回動し得る。
【００４６】
レッグレスト４の回動は、アクチェータの一例としての第２電動シリンダ４９で行われ。図４，５，７等に示すように、第２電動シリンダ４９は、後部ステー２５に溶接等で設けた第３ブラケット５０と第２支持体４５に設けた第４ブラケット５１とにピンで相対回動自在に連結されている。第４ブラケット５１は、図７（Ｃ）に示すように第２支持板４５に切り起こしによって形成することも可能であるし、図７（Ｄ）に示すように別体の部材にとすることもできる。
【００４７】
図７（Ａ）に示すように、第２電動シリンダ４９もモータ５２を有しており、モータ５２を正逆回転させてロッド４９ａを前後動させることでレッグレスト４を下向き姿勢から水平状姿勢まで任意の回動角度に回動させることができる。そして、第１電動シリンダ４２と第２電動シリンダ４９とは椅子の縦長中心線を挟んだ左右両側に振り分けて配置している。この場合、両電動シリンダ４２，４９のモータ４３，５２を互いに逆向きに突出させることにより、両電動シリンダ４２，４９をでるだけ近接させている。その結果、重量が重い電動シリンダ４２，４９を椅子の左右中間部に寄せることができて、椅子の安定性を向上できる。
【００４８】
レッグレスト４における基板３２の下端部には鋼板より成る第３支持板５３がビス等で固定されており、この第３支持体５３にレッグレスト４の下端面に向けて４５°程度で傾斜した傾斜部５３ａを曲げ形成し、傾斜部５３ａの左右両端部に左右開口の第５軸受け筒５４を溶接等で設けている。一方、フットレスト３における基板３３には鋼板製の第４支持体５５を固定しており、第４支持体５５の左右両端部に、第５軸受け筒５４と一直線に並ぶ第６軸受け筒５６を設けて、第５軸受け筒５４と第６軸受け筒５６とに第３支軸５７を挿通している。従って、フットレスト３とレッグレスト４とは第３支軸５７を中心にして相対回動し得る。
【００４９】
既述のようにレッグレスト４は第２電動シリンダ４９で駆動されるが、フットレスト３はレッグレスト４に連動して昇降する。この連動は図５〜図７に示すリンク５８を介して行われる。リンク５８の後端は図７（Ａ）（Ｂ）に示す第５ブラケット５９にピンで回動自在に連結されており、リンク５８の後端は図５や図７（Ａ）（Ｅ）に示す第６ブラケット６０にピンで回動自在に連結されている。第５ブラケット５９は前部支持体２４の下面に溶接で固着されており、第６ブラケット６０はフットレスト３の第３支持体５３に固定されている。
【００５０】
フットレスト３はレッグレスト４よりも薄くなっている。このため、図６（Ｂ）に示すように、フットレスト３を上昇させ切った状態では、フットレスト３の下面はレッグレスト４の下面よりも上に位置している。また、フットレスト３はは下降させ切った状態でその後端がレッグレスト４の後端面よりも手前に位置している。そこで、リンク５８が略鉛直姿勢から水平姿勢まで回動することを可能ならしめるため、第６ブラケット６０はフットレスト３の下方に大きく突出すると共に後方に大きく張り出す形態にしている。図５から理解できるように、フットレスト３は下降させ切った状態でフロントフレーム１９の前向き部１９ａで支持されている。
【００５１】
(5).サイドガードの着脱構造・アームレストの高さ調節機構
次に、サイドガード５の着脱機構とアームレスト１３の上下高さ調節機構とを主として図９〜図１１に基づいて説明する。既述のようにサイドガード５は本体１７に設けたサイドサポート２８で支持される。そこで、図９や図１１（図３も参照）に示すように、サイドガード５の内面部にはサイドサポート２８に上方から嵌まる側面視四角形の切欠き部６５を形成している。
【００５２】
図１に示すように、サイドガード５は大まかには内外の芯板６６，６７の外面にクッション６８を張った構造になっており、内芯板６６とこれに張ったクッション６８とを切除することで切欠き部６５を形成している。内外の芯板６６，６７はスペーサ６９で間隔が保持されている。そして、内外の芯板６６，６７で形成された空間のうち切欠き部６５の上方部に上向き開口コの字形のスペーサブラケット７０を固定し、このスペーサブラケット７０に、サイドサポート２８のサイド支持筒２９に嵌まる支持ピン７１を固定している。
【００５３】
従って、支持ピン９０をサイド支持筒２９に抜き差しすることにより、サイドガード５を本体１７に着脱することができる。サイドガード５は座１の基板３０に取り付けることも可能である。支持ピン７１をサイドサポート２８に設けて、支持筒２９をサイドガード５に設けることも可能である。また、他の着脱機構を採用することも可能である。
【００５４】
図１１（Ａ）に示すように、アームレスト１３は下向き開口コの字形の芯材１３′にクッション１３″を外側から張った断面構造になっている。アームレスト１３の内側部１３ｂは座１との関係で高さは規制されるが、外側部１３ｂの高さは座１で規制されることはない。このため外側部を内側部より下方に長く延びるように大きな高さに設定している。このため、アームレスト１３は高さを高くした状態であっても高い安定性が確保される。支持ピン７１は上向きに大きく延びている一方、アームレスト１３の芯材１３′には支持ピン７１に嵌まるガイド筒７４を固定している。このためアームレスト１３をスムースに上下動させることができる。
【００５５】
図１１に示すように、アームレスト１３における芯材１３′の前後中間部には下向きに長く延びるロッド７５を設けており、ロッド７５の下端部に、高さ調節機構を構成する左右一対のラチェット爪７２が取り付けられている。ラチェット爪７２は板ばね製又は樹脂製であり、サイドガード５におけるスペーサブラケット７０の内側面に向けて正面視で斜め下向きに延びている。また、左右のラチェット爪７２はロッド７５に貫通した左右長手のスライド軸７６に固定されており、かつ、スライド軸７６はロッド７５に設けた前後ガイド穴７７に前後スライド自在に嵌まっている。
【００５６】
そして、スペーサブラケット７０には、ラチェット爪７２が上昇動する係合溝７８とラチェット爪７２が下降動する逃がし溝７９が隣り合わせて形成されており、係合溝７８にはラチェット爪７２を下向き動不能に保持する係合穴８０が複数段形成されている。また、係合溝７８と逃がし溝７９とは上下の傾斜溝８１を介して繋がっている。スペーサブラケット７０のうち傾斜溝８１の近傍部には、スライド軸７６を案内するガイド溝（図示せず）が形成されており、このガイド溝の作用により、アームレスト１３を上昇させ切るとラチェット爪７２は係合溝７９から逃がし溝７９に移行し、アームレスト１３を下降させ切るとラチェット爪７２は逃がし溝７９から係合溝７８に移行する。
【００５７】
アームレスト１３を高さ調節するための機構としては、ハート形カムを利用したワンウエイ方式ラチェット機構など様々の構成を採用できる。また、無段階的に調節可能とすることも可能である。
【００５８】
高さ調節機構としてロック解除ボタンをアームレスト１３の外面に配置して、解除ボタンを押して高さ調節することも可能である。他方、アームレスト１３には点滴のために腕を載せており、このため、アームレスト１３がずり下がるような不測の事態は避けるべきであるが、ロック解除ボタンがアームレスト１３の外面にあると、誤ってロック解除ボタンを押してアームレスト１３が下降してしまう虞がある。これに対して、本実施形態のように持ち上げることのみで高さ調節する構成を採用すると、アームレスト１３が意図することなく下降してしまう不測の事態を確実に回避できる利点がある。
【００５９】
(6).以上のまとめ・補足
患者は椅子に腰掛けて片方の腕をアームレスト１３に載せ、その状態で点滴を受ける。点滴治療は相当の時間が掛かるため、背もたれ２の角度やレッグレスト４の角度、フットレスト３の高さなどを調節することにより、患者は体格や好み等に合わせて安楽な姿勢を確保できる。これらの調節は、図１に簡単に表示しているコントローラ（リモコン）６１で行う。図示のコントローラ６１は有線方式になっているが、無線方式とすることも可能である。
【００６０】
図１，２に示すように、左右サイドガード５の外面には、コントローラ６１を係止するフック６２が設けられている。また、図２に示すように、背もたれ２の背面部にはコントローラ６１の収納ポケット６３を設けている。患者の容体が急変して治療室に急送する場合は、コントローラ６１は収納ポケット６３に収納したら良い。
【００６１】
椅子の近くにワゴンやキャッビネットを配置し、これらワゴンやキャビネットにテレビを設けてもよい。左右のサイドガード５で保持テーブルを支持し、補助テーブルを利用して読書や書き物、パソコン操作などを行うことも可能である。これらテレビ鑑賞や読書、パソコン操作などは身体を起こした状態で行うが、点滴は身体を起こして腕をアームレスト１３に載せた状態で行われるため、点滴を受けつつテレビ鑑賞等を行える。
【００６２】
例えば図１に示すように、サイドガード５の前上部は後傾状（面取り状）にカットされている。このため、乗り降りに際して身体がサイドガード５に当たることを防止できる。また、サイドガード５の後ろ上部も斜めにカットしており、このため、背もたれ２を起こした状態であってもサイドガード５を簡単に取り外すことができる。
【００６３】
患者の容体が急変したら、背もたれ２を倒すと共にレッグレスト４の起こしとフットレスト３の上昇とを行って、治療室に移動（搬送）することになる。その場合、左右のサイドガード５が存在するため、廊下を曲がるに際して患者に遠心力が働いても、患者が椅子から落ちることはない。
【００６４】
また、背もたれ２を倒して患者を寝かせた状態にした場合、両腕は背もたれ２の左右両側部に載るが、背もたれ２は張り出し部２ａを有しているため、腕が背もたれ２の外側で垂れ下がることを防止できる。また、図２（Ｂ）に示すように、背もたれ２の張り出し部２ａをベッドＢに近接させておけるため、サイドガード５を取り外してから患者をベッドＢに移行させることを安全に行える。サイドガード５は、ロック解除のような操作を行うことなく上に引くだけで取り外すことできる。このため緊急対応性に優れている。
【００６５】
さて、サイドガード５は、着座した人の身体が内側から当たることにより、外側に倒すようなモーメントが掛かることがある。この場合、サイドガード５の下端が本体に取り付けられていると、サイドガード５に作用するモーメントも大きくなって、取り付け部が破損しやすくなる。特許文献２ではスカートガードはその下端が本体に取り付けられているため、内側から掛かった荷重によって破損・変形しやすいと言える。
【００６６】
他方、本実施形態では、サイドガード５は上部サイドフレーム２３に設けたサイドサポート２８で支持されているが、図２に明示するように、サイドガード５の下端は上部サイドフレーム２３よりもかなり下方に位置しているため、サイドガード５はその上下中途部の位置がサイドサポート２８のサイド支持筒２９に取り付けられており、従って、着座した人の体圧がサイドガード５に内側から作用しても、サイドガード５の下端部がリア支柱２２に当たる（突っ張る）ことにより、過大なモーメントが掛かることを防止できる。その結果、支持ピン７１やサイド支持筒２９は過度に大きくすることなく破損変形を防止できる。
【００６７】
また、本実施形態のようにサイドガード５における切欠き部６５の内部に支持ピン７１を設けると、支持ピン７１はサイドガード５でカバーされた状態になっているため、本体１７から取り外したサイドガード５の外側に支持ピン７１が突出することはなく、このためサイドガード５を取り外した後に支持ピン７１に身体が触れるといったことはなくて安全である。
【００６８】
(7).その他
本願発明は、上記の実施形態の他にも様々に具体化できる。例えば、アームレストの長さや平面視形状は腕の支持機能を損なわない範囲で任意に変更できるのであり、座の前後長さと略同じ程度の長さに設定したり、上面を上向き凹状に湾曲させたりすることも可能である。背もたれを上下２つの部材で構成して、２つの部材を屈曲可能に連結することも可能である。アームレストは後傾させたり前傾させたり側面視姿勢を変更可能に構成することも可能である。
【符号の説明】
【００６９】
１  座
２  背もたれ
３  フットレスト
４  レッグレスト
５  サイドガード
６  前輪
７  後輪
８  ベースパネル
１３  アームレスト
１３ａ  アームレストの上面部
１３ｂ  アームレストの内側部
１３ｂ  アームレストの外側部
１７  本体
２８  サイドガードの支持部の一例としてのサイドサポート部
２９  サイド支持筒
７１  支持ピン
７２  高さ調節機構を構成するラチェット爪
７５  高さ調節機構を構成するロッド
７８  係合溝
７９  逃がし溝
８０  係合穴
【図１】
2010227388.tif 000003
【図２】
2010227388.tif 000004
【図３】
2010227388.tif 000005
【図４】
2010227388.tif 000006
【図５】
2010227388.tif 000007
【図６】
2010227388.tif 000008
【図７】
2010227388.tif 000009
【図８】
2010227388.tif 000010
【図９】
2010227388.tif 000011
【図１０】
2010227388.tif 000012
【図１１】
2010227388.tif 000013